(57)【特許請求の範囲】
【請求項１】
画像を表示可能な表示部と、
入力操作を受け付け可能な入力部と、
複数の設定項目の現在の設定値、異なる複数の前記設定項目の間で互いに同時に設定できない排他関係が成立する設定値の組み合わせに関する排他情報、及び、前記複数の設定項目のうちリスト画面として表示させるべき特定の複数の表示対象項目を示す項目情報、が記憶された記憶部と、
制御部と、
を備えた表示制御装置であって、
前記制御部は、
前記リスト画面を前記表示部に表示させるための入力操作が前記入力部によって受け付けられた場合に、前記記憶部から、表示対象の前記リスト画面の前記項目情報を取得する項目情報取得処理と、
前記記憶部に記憶されている前記排他情報に基づき、前記項目情報が示す前記複数の表示対象項目の中に、設定可能な複数の設定値のうち現在の設定値以外の設定値が全て他の特定の設定項目の現在の設定値に対して互いに同時に設定できない排他関係となる変更不可項目があるか否か判断する判断処理と、
前記項目情報が示す前記複数の表示対象項目毎の項目画像が配列された前記リスト画面を前記表示部に表示させる処理であって、各前記項目画像を第１の表示態様で表示させ、前記判断処理により前記変更不可項目があると判断された場合、その変更不可項目を示す前記項目画像については前記第１の表示態様とは異なる第２の表示態様で表示させ、更に、各前記項目画像に加えて、前記変更不可項目に対する前記特定の設定項目である排他項目を示す排他情報画像を表示させる、リスト画面表示処理と、
を実行し、
前記制御部は、前記リスト画面表示処理において、前記排他情報画像を表示開始から特定の規定時間が経過するまで表示させ、前記規定時間の経過後の特定のタイミングで、前記排他情報画像に代えて、前記排他情報画像よりも小さい特定の縮小画像を表示させ、
前記制御部は、さらに、
前記入力部を介して前記縮小画像を指定する入力操作が受け付けられた場合に、その縮小画像に対応した前記排他項目の設定値を選択させるための設定値選択画面を前記表示部に表示させる設定値選択表示処理と、
前記設定値選択画面に対して前記入力部を介して前記設定値を選択するための入力操作が受け付けられた場合に、その入力操作に基づいて前記排他項目の設定値を設定する第１の設定処理と、
を実行することを特徴とする表示制御装置。
【請求項２】
請求項１に記載の表示制御装置であって、
前記制御部は、前記リスト画面表示処理において、前記表示部における画像を表示可能な表示領域の内、他の画像が表示されていない領域内に、前記縮小画像を表示させる
ことを特徴とする表示制御装置。
【請求項３】
請求項１または請求項２に記載の表示制御装置であって、
前記縮小画像には、前記排他項目を示すテキスト画像が含まれ、
前記入力部は、前記変更不可項目に対する前記排他項目が複数あることにより前記縮小画像中にその複数の排他項目毎の前記テキスト画像が含まれている場合、前記テキスト画像毎に個別にそのテキスト画像を選択する入力操作を受け付け可能であり、
前記制御部は、前記設定値選択表示処理において、前記縮小画像中の複数の前記テキスト画像のうち何れか１つが前記入力部を介して選択された場合、その選択されたテキスト画像に対応した排他項目の設定値を選択させるための前記設定値選択画面を前記表示部に表示させる
ことを特徴とする表示制御装置。
【請求項４】
請求項１〜請求項３のいずれか１項に記載の表示制御装置であって、
前記制御部は、前記第１の設定処理の実行後は、その第１の設定処理による設定後の設定値に基づいて前記リスト画面表示処理を実行する
ことを特徴とする表示制御装置。
【請求項５】
請求項１〜請求項４の何れか１項に記載の表示制御装置であって、
前記設定値選択表示処理は、選択可能な設定値を含む前記設定値選択画面を表示させる処理であって、選択可能な複数の設定値のうち、現在設定されている設定値については、他の設定値とは異なる表示態様で表示させるか又は表示させないようにする処理である
ことを特徴とする表示制御装置。
【請求項６】
請求項１〜請求項５の何れか１項に記載の表示制御装置であって、
前記制御部は、
前記リスト画面表示処理によって前記変更不可項目を含む前記リスト画面を表示させた後、前記第１の設定処理によって前記排他項目の設定値が設定された結果、対応する前記変更不可項目の設定値を前記排他項目の設定値と前記排他関係が成立しないような値に変更可能となる毎に、同じ前記変更不可項目と前記排他項目の組み合わせに対する同じ前記第１の設定処理の実行回数を累積加算する回数累積処理と、
前記判断処理により前記変更不可項目があると判断された場合に、前記変更不可項目と対応する前記排他項目との組み合わせに対して前記実行回数が規定回数以上の前記第１の設定処理がある場合、その排他項目に対し、その規定回数以上実行された前記第１の設定処理と同じ内容の処理を実行する第２の設定処理と、
を実行することを特徴とする表示制御装置。
【請求項７】
複数の設定項目のうち表示対象の特定の複数の表示対象項目を示す項目情報を取得する項目情報取得手順と、
前記複数の表示対象項目の中に、設定可能な複数の設定値のうち現在の設定値以外の設定値が全て他の特定の設定項目の現在の設定値に対して互いに同時に設定できない排他関係となる変更不可項目があるか否か判断する判断手順と、
前記項目情報が示す前記複数の表示対象項目毎の項目画像が配列されたリスト画面を表示部に表示させる手順であって、各前記項目画像を第１の表示態様で表示させ、前記判断手順により前記変更不可項目があると判断された場合、その変更不可項目を示す前記項目画像については前記第１の表示態様とは異なる第２の表示態様で表示させ、更に、前記項目画像に加えて、前記変更不可項目に対する前記特定の設定項目である排他項目を示す排他情報画像を表示させる、リスト画面表示手順と、
を有し、
前記リスト画面表示手順では、前記排他情報画像を表示開始から特定の規定時間が経過するまで表示させ、前記規定時間の経過後の特定のタイミングで、前記排他情報画像に代えて、前記排他情報画像よりも小さい特定の縮小画像を表示させ、
さらに、
前記縮小画像を指定する入力操作が受け付けられた場合に、その縮小画像に対応した前記排他項目の設定値を選択させるための設定値選択画面を前記表示部に表示させる設定値選択表示手順と、
前記設定値選択画面に対する前記設定値を選択するための入力操作が受け付けられた場合に、その入力操作に基づいて前記排他項目の設定値を設定する設定手順と、
を有する
ことを特徴とする表示制御方法。
【請求項８】
コンピュータに実行させるためのプログラムを記録した、前記コンピュータが読み取り可能な記憶媒体であって、
前記プログラムは、前記コンピュータに、
複数の設定項目のうち表示対象の特定の複数の表示対象項目を示す項目情報を取得する項目情報取得処理と、
前記複数の表示対象項目の中に、設定可能な複数の設定値のうち現在の設定値以外の設定値が全て他の特定の設定項目の現在の設定値に対して互いに同時に設定できない排他関係となる変更不可項目があるか否か判断する判断処理と、
前記項目情報が示す前記複数の表示対象項目毎の項目画像が配列されたリスト画面を表示部に表示させる処理であって、各前記項目画像を第１の表示態様で表示させ、前記判断処理により前記変更不可項目があると判断された場合、その変更不可項目を示す前記項目画像については前記第１の表示態様とは異なる第２の表示態様で表示させ、更に、前記項目画像に加えて、前記変更不可項目に対する前記特定の設定項目である排他項目を示す排他情報画像を表示させる、リスト画面表示処理と、
を実行させ、
前記リスト画面表示処理は、前記排他情報画像を表示開始から特定の規定時間が経過するまで表示させ、前記規定時間の経過後の特定のタイミングで、前記排他情報画像に代えて、前記排他情報画像よりも小さい特定の縮小画像を表示させる処理を含み、
前記プログラムは、前記制御部に、さらに、
前記縮小画像を指定する入力操作が受け付けられた場合に、その縮小画像に対応した前記排他項目の設定値を選択させるための設定値選択画面を前記表示部に表示させる設定値選択表示処理と、
前記設定値選択画面に対する前記設定値を選択するための入力操作が受け付けられた場合に、その入力操作に基づいて前記排他項目の設定値を設定する設定処理と、
を実行させる、記憶媒体。
【発明の詳細な説明】
【技術分野】
【０００１】
本発明は、機能実行に必要な複数種類の設定項目毎に設定値の設定変更を受け付けるための画面を表示させる表示制御装置に関する。
【背景技術】
【０００２】
特定の機能を実行可能な各種装置として、機能実行に必要な複数種類の設定項目毎に設定値を任意に設定でき、設定された各設定値に基づいて機能が実行されるよう構成された装置が知られている。
【０００３】
例えば原稿の画像を読み取って記録用紙に印刷するコピー機能を備えた装置においては、設定項目として、例えば拡大／縮小設定、レイアウトコピー設定などがある。
拡大／縮小設定とは、読み取った原稿の画像の大きさに対してどのような大きさで記録用紙に印刷させるかを設定することが可能な設定項目である。拡大／縮小設定において設定可能な設定値としては、例えば１００％、１００％より大きい複数の値、１００％より小さい複数の値、などがある。
【０００４】
レイアウトコピー設定とは、１枚の記録用紙の同一面に対して原稿の画像を何ページ分印刷するかを設定することが可能な設定項目である。レイアウトコピー設定において設定可能な設定値としては、オフ、Ｎｉｎ１などがある。Ｎｉｎ１とは、１枚の記録用紙の同一面に原稿Ｎページ分をまとめて印刷させることを示す設定値である。なお、レイアウトコピー設定の各設定値のうち、オフは、１ｉｎ１を意味する。
【０００５】
各設定項目の設定値を設定するためには、一般に、設定項目毎の特定の項目画像がリスト状に配列表示されたリスト画面を表示部に表示させる。ユーザは、リスト画面に表示されている複数の項目画像の中から、設定値を変更したい設定項目の項目画像を選択することで、その設定項目の設定値を任意の値に変更することができる。
【０００６】
各設定項目は全て無条件で設定変更が可能であることが望ましい。しかし実際には、異なる複数の設定項目の相互間で同時に設定できない排他関係にある設定値が存在する。例えば、拡大／縮小設定の設定値を１００％以外の値に設定するためには、レイアウトコピー設定の設定値がオフでなければならない。つまり、レイアウトコピー設定におけるオフ以外の設定値（例えば２ｉｎ１）と、拡大／縮小設定における１００％以外の設定値とは、互いに排他関係にあり、同時に設定することができない。そのため、レイアウトコピー設定の設定値がオフ以外に設定されている場合は、拡大／縮小設定の設定値を１００％から他の値に変更することができない。
【０００７】
なお、以下の説明では、他の設定項目の設定変更を不可能にするような設定値に設定されている設定項目を「排他項目」と称する。また、排他項目の存在によって設定変更ができない状態にある設定項目を「変更不可項目」と称する。上記例においては、オフ以外に設定されているレイアウトコピー設定が排他項目に該当し、１００％に設定されている拡大／縮小設定が変更不可項目に該当する。
【０００８】
表示部にリスト画面を表示させる際、変更不可項目がある場合には、その設定項目が変更不可項目であることをユーザが容易に認識できると、ユーザにとって便利である。
特許文献１には、排他項目の存在によって設定変更ができない変更不可項目がある場合に、その変更不可項目のボタンを他のボタンとは異なる態様で競合表示させる技術が記載されている。
【先行技術文献】
【特許文献】
【０００９】
【特許文献１】特開２０１２−１４８５５２号公報
【発明の概要】
【発明が解決しようとする課題】
【００１０】
しかし、表示部の表示内容がリスト画面に切り替わった時に、変更不可項目のボタンが単に競合表示されているだけだと、どの設定項目の設定値が原因で競合表示されているのかがわからない。そのため、変更不可項目について、設定変更できるようにするためにはどのようにすればいいのかが、ユーザは容易に認識できない。
【００１１】
本発明は上記課題に鑑みなされたものであり、複数の設定項目の中に、設定値を現在の値から変更すると他の設定項目の設定値と互いに同時に設定できない排他関係になるが故に設定変更ができない設定項目がある場合に、設定変更できない具体的理由を迅速且つ容易にユーザに認識させることができるようにすることを目的とする。
【課題を解決するための手段】
【００１２】
上記課題を解決するためになされた本発明は、画像を表示可能な表示部と、入力操作を受け付け可能な入力部と、記憶部と、制御部とを備えた表示制御装置である。記憶部には、複数の設定項目の現在の設定値、異なる複数の設定項目の間で互いに同時に設定できない排他関係が成立する設定値の組み合わせに関する排他情報、及び、複数の設定項目のうちリスト画面として表示させるべき特定の複数の表示対象項目を示す項目情報、が記憶される。制御部は、項目情報取得処理と、判断処理と、リスト画面表示処理とを実行する。
【００１３】
項目情報取得処理は、リスト画面を表示部に表示させるための入力操作が入力部によって受け付けられた場合に、記憶部から、表示対象のリスト画面の項目情報を取得する処理である。
【００１４】
判断処理は、記憶部に記憶されている排他情報に基づき、項目情報が示す複数の表示対象項目の中に、設定可能な複数の設定値のうち現在の設定値以外の設定値が全て他の特定の設定項目の現在の設定値に対して互いに同時に設定できない排他関係となる変更不可項目があるか否か判断する処理である。
【００１５】
リスト画面表示処理は、項目情報が示す複数の表示対象項目毎の項目画像が配列されたリスト画面を表示部に表示させる処理である。具体的には、各項目画像を第１の表示態様で表示させる。ただし、判断処理により変更不可項目があると判断された場合、その変更不可項目を示す項目画像については、第１の表示態様とは異なる第２の表示態様で表示させる。更に、各項目画像に加えて、変更不可項目に対する特定の設定項目である排他項目を示す排他情報画像を表示させる。
【００１６】
このように構成された表示制御装置では、リスト画面が表示される際、複数の表示対象項目の中に、設定値を仮に現在の値から変更すると他の特定の設定項目の設定値と排他関係になるが故に設定変更ができない設定項目がある場合に、設定変更できない具体的理由を迅速且つ容易にユーザに認識させることができる。そのため、ユーザは、排他情報画像に基づいて、変更不可項目の設定値を変更できるようにするための適切な操作（例えば、排他情報画像が示す排他項目の設定値を別の設定値に変更する操作）を迅速且つ効率良く行うことができる。
【図面の簡単な説明】
【００１７】
【図１】複合機の概略構成を示す説明図であり、（ａ）はブロック図、（ｂ）は操作パネル部の外観図である。
【図２】待機画面からリスト画面への画面遷移例、及びリスト画面の詳細構成を示す説明図である。
【図３】変更不可項目と１つの排他項目との特定規制関係を解除する手順を示す説明図である。
【図４】変更不可項目と２つの排他項目との特定規制関係を解除する手順を示す説明図である。
【図５】１つの変更不可項目に対する排他項目が規定数以上ある場合の縮小画像の具体例を示す説明図である。
【図６】変更不可項目が複数ある場合の、変更不可項目毎の縮小画像の具体例を示す説明図である。
【図７】縮小画像として排他アイコンが表示される場合の、変更不可項目と２つの排他項目との特定規制関係を解除する手順を示す説明図である。
【図８】リスト画面表示処理のフローチャートである。
【図９】画面生成処理のフローチャートである。
【図１０】表示方法設定処理のフローチャートである。
【図１１】第１の特定規制解除処理のフローチャートである。
【図１２】第２の特定規制解除処理のフローチャートである。
【図１３】履歴確認処理のフローチャートである。
【発明を実施するための形態】
【００１８】
以下、本発明が適用された実施形態について、図面を用いて説明する。
［第１実施形態］
（１）複合機の構成
本実施形態の複合機１は、スキャン機能、コピー機能、ファクシミリ機能などの複数の機能を備えている。各機能それぞれ、実行のために各種の設定項目の設定値を設定する必要がある。例えばコピー機能の場合、設定項目として、コピー画質、拡大／縮小、コピー濃度、レイアウトコピー、両面コピーなどがある。また例えば、ファクシミリ機能の場合、設定項目として、ファクス画質、両面ファクス、原稿濃度、送付書設定などがある。
【００１９】
各設定項目それぞれ、ユーザが複数の設定値の中から何れかを選択できるように構成されている。例えばコピー機能における拡大／縮小の設定項目においては、設定値として、等倍である１００％のほか、２００％、１４１％、１１５％、８７％、７０％、などの複数の設定値が用意されており、ユーザが何れかの設定値を任意に選択できる。また例えば、コピー機能におけるレイアウトコピーの設定項目においては、設定値として、オフ（１ｉｎ１）及びＮｉｎ１（Ｎは例えば２、４）がある。
【００２０】
図１（ａ）に示すように、複合機１は、ＣＰＵ１１、ＲＯＭ１２、ＲＡＭ１３、ＮＶＲＡＭ１４、画像読取部１５、画像形成部１６、操作パネル部１７、メモリカードインタフェース（以下「メモリカードＩ／Ｆ」と略す）１８、ネットワーク通信部１９、及び電話通信部２０を備えている。
【００２１】
画像読取部１５は、原稿の画像をイメージセンサで読み取ってその画像を表す画像データを生成することができる。画像形成部１６は、シート状の被記録媒体（例えば記録用紙）に対して画像を印刷することができる。メモリカードＩ／Ｆ１８は、各種のメモリカードが装着されるインタフェースであり、メモリカードに対するデータの書き込み又は読み出しを制御する。ネットワーク通信部１９は、ネットワークインタフェースカードを有し、特定の通信方式による外部装置とのデータ通信を行う。電話通信部２０は、モデムを有し、電話回線（図示略）を介して電話やファクシミリ通信を行う際に利用される。
【００２２】
操作パネル部１７は、液晶ディスプレイ２１、タッチパネル２２、及び内照式表示部２３を有し、これら三者が図１（ｂ）に示すように配置されている。液晶ディスプレイ２１には、複合機１の機能や動作状態等の各種情報を示す画像が表示される。なお、液晶ディスプレイのことを、以下、「ＬＣＤ」と略称する。
【００２３】
タッチパネル２２は、指やタッチペンなどの指示体の接触又は近接を検出可能な、透明なフィルム状の入力デバイスである。タッチパネル２２は、ＬＣＤ２１及び内照式表示部２３の表示面に重畳配置されている。内照式表示部２３は、テンキーやその他の操作用ボタンを示す画像が表示される部分である。
【００２４】
ＣＰＵ１１は、ＲＯＭ１２及びＮＶＲＡＭ１４に記憶されている各種プログラムに従って複合機１内の各部の制御を実行する。ＲＡＭ１３は、各種の情報を記憶するワークエリアや画像データを記憶するメインメモリ等として利用される。
【００２５】
ＮＶＲＡＭ（Non Volatile RAMの略）１４は、記憶内容を電気的に書き換え可能な不揮発性メモリであり、ファームウェアや各種設定値、各種プログラム、各種データ等が記憶される。なお、後述する図８〜図１２の各処理のプログラムを含む、上記複数の機能を実現するための各種プログラムは、ＲＯＭ１２及びＮＶＲＡＭ１４の少なくとも一方に記憶されている。
【００２６】
また、ＮＶＲＡＭ１４には、画面情報１４ａ、設定値情報１４ｂ、及び排他情報テーブル１４ｃが記憶されている。
画面情報１４ａは、ＬＣＤ２１に表示可能な各種画面の情報である。即ち、画面情報１４ａには、各種画面毎の、画面構成に関する情報、即ちＬＣＤ２１の表示領域内のどこにどのような画像（テキスト含む）を表示させるかを示す情報が含まれる。また、画面情報１４ａには、各種画面毎の、画面中の特定の画像或いは特定の領域が押下された場合にどの画面に遷移させるかに関する情報も含まれる。
【００２７】
ＬＣＤ２１に表示可能な各種画面には後述するリスト画面が含まれており、画面情報１４ａにはそのリスト画面の画面構成に関する情報も含まれている。リスト画面は、機能実行に必要な複数種類の設定項目毎に設定値の設定変更を受け付けるための画面である。具体的に、リスト画面には、特定の少なくとも１つの設定項目について、その少なくとも１つの設定項目の項目ボタンが含まれる。なお、以下の説明では、リスト画面には複数の設定項目の項目ボタンが表示されるものとして説明する。つまり、リスト画面は、表示対象の複数の設定項目毎の項目ボタンが配列されてなる画面である。
【００２８】
リスト画面は機能毎に少なくとも１種類用意されている。ユーザにより、ある特定のリスト画面を表示させるべき特定の操作が行われると、ＬＣＤ２１の表示内容は、その操作に応じたリスト画面に遷移する。図２（ａ）のリスト画面３５は、コピー機能の各種設定項目の設定変更を受け付けるためのリスト画面の一例である。
【００２９】
設定値情報１４ｂは、全ての設定項目毎の、選択可能な設定値の種類や範囲、及び現在の設定値を示す情報である。
複合機１においては、異なる複数の設定項目の相互間で同時に設定できない排他関係にある設定値が存在する。例えばコピー機能において、拡大／縮小の設定値のうち１００％以外の値は、レイアウトコピー設定の設定値のうちオフ以外の値と排他関係にある。
【００３０】
そのため、例えば、拡大／縮小の設定値が１００％に設定されていて、レイアウトコピーの設定値がオフ以外の値（例えば２ｉｎ１）に設定されている場合は、拡大／縮小の設定値を１００％以外の値に設定することはできない。拡大／縮小の設定値を１００％以外の設定値に変更したい場合は、レイアウトコピーの設定値をオフに変更する必要がある。この例において、拡大／縮小は、レイアウトコピーの設定値に起因して設定値を現在の１００％から変更できない状態にある変更不可項目である。一方、レイアウトコピーは、拡大／縮小に対して排他項目としての位置づけを有する。即ち、レイアウトコピーは、現在の設定値がオフ以外の値であることによって拡大／縮小の設定値の変更を不可能な状態にさせている。
【００３１】
なお、上記例のような、拡大／縮小の設定値が１００％でレイアウトコピーの設定値がオフ以外という状態は、その状態自体は同時に成立できる状態であり、互いに排他な状態ではない。しかし、拡大／縮小の設定値を現在の１００％から変更しようとすると、レイアウトコピーの設定値と同時に共存できない排他関係となってしまうため、１００％から変更できない。このような、現在は排他関係にないものの一方の設定値を変更すると排他関係になってしまうが故にその変更ができないような状態にある複数の設定項目間の関係を、以下、特定規制関係と称する。
【００３２】
ＮＶＲＡＭ１４に記憶されている排他情報テーブル１４ｃは、厳密には、各種リスト画面毎に個別に用意されている。各排他情報テーブルには、対応するリスト画面に表示される各設定項目毎に、排他項目となり得る他の設定項目に関する情報や、現在の設定値を変更すると他の設定項目の設定値との間で排他関係が成立するか否か、つまり設定値を現在の値から変更できるかどうか、をチェックするためのチェック関数などが含まれている。
【００３３】
よって、各設定項目毎に、対応する排他情報テーブル１４ｃを参照することで、現在の設定値を変更できるか否か、変更できない場合、即ち変更不可項目として位置づけられている場合は自身に対する排他項目はどの設定項目であるか、などの情報を導出することができる。
【００３４】
ＮＶＲＡＭ１４には、上記各情報１４ａ，１４ｂ，１４ｃの他、排他有無情報、表示方法情報、及び排他表示用レイヤ情報（何れも後述）も記憶される。なお、ＮＶＲＡＭ１４は、他の種類の記憶装置（例えばフラッシュメモリ、ＥＥＰＲＯＭなど）であってもよい。
【００３５】
ＣＰＵ１１には、タッチパネル２２から、タッチパネル２２に対する指示体の接触又は近接の有無を示す情報や、指示体が接触又は近接している位置に関する情報などが入力される。ＣＰＵ１１は、それらの入力される情報に基づいて、ユーザがどのような操作を行ったのかを判断し、その判断結果に基づいて各種処理を実行する。ＬＣＤ２１に表示されている画面に対するタッチパネル２２を介したユーザ操作としては、例えば、タップ操作、フリック操作、ドラッグ操作、スワイプ操作などがある。なお、以下の説明で、ＬＣＤ２１に表示されている画面に対して「押下」とは、少なくともタップ操作を意味しているものとする。
【００３６】
（２）画面遷移の説明
ＬＣＤ２１に表示される画面は、ユーザ操作あるいは複合機１の動作状態に応じて現在の画面から異なる画面へと遷移する。複合機１を起動させると、特定の初期処理が行われた後、ＬＣＤ２１に、図２（ａ）に例示するような待機画面２が表示される。待機画面２には、実行させたい機能を選択するための、機能毎の機能選択キー３，４，５，・・・が表示される。図２（ａ）は、機能選択キーとして、ファクシミリ機能を実行させるためのファクスキー３、コピー機能を実行させるためのコピーキー４、及びスキャン機能を実行させるためのスキャンキー５が表示されている例を示している。
【００３７】
待機画面２において、コピーキー４が押下されると、ＬＣＤ２１には、コピー機能を実行させるためのコピー画面３１が表示される。コピー画面３１には、コピー機能における各種設定項目の現在の設定値を示す設定情報３２、設定変更ボタン３３、及びスタートボタン３４などが表示される。スタートボタン３４が押下されると、現在設定されている各設定値に基づいてコピー機能が実行される。即ち、画像読取部１５による原稿の画像の読み取りが行われ、画像形成部１６による、その読み取られた画像の記録用紙への印刷が行われる。
【００３８】
現在の設定値を変更したい場合は、ユーザは、設定変更ボタン３３を押下すればよい。設定変更ボタン３３が押下されると、ＬＣＤ２１の画面は、コピー画面３１からリスト画面３５に遷移する。リスト画面３５は、コピー機能の実行に必要な複数種類の設定項目毎の項目ボタンが表示される画面である。図２（ａ）には、複数種類の設定項目のうち４種類の設定項目毎の項目ボタン４１，４２，４３，４４が表示された状態のリスト画面３５が示されている。
【００３９】
具体的に、図２（ａ）のリスト画面３５には、コピー画質設定用の項目ボタン４１と、拡大／縮小設定用の項目ボタン（以下「拡大／縮小ボタン」とも称す）４２と、コピー濃度設定用の項目ボタン４３と、コントラスト設定用の項目ボタン４４とが表示されている。また、リスト画面３５には、ＯＫボタン３６が表示されている。ＯＫボタン３６が押下されると、ＬＣＤ２１の画面は、リスト画面３５に遷移する直前に表示されていた画面に切り替わる。
【００４０】
コピー機能において設定可能な設定項目は、上記４つの設定項目以外にも、少なくともスタック／ソート、レイアウトコピー、両面コピー、両面レイアウトコピー、及びトレイ選択などがある。そして、これら各設定項目に対してもそれぞれ項目ボタンが用意されている。具体的に、図２（ｂ）に例示するように、スタック／ソート設定用の項目ボタン４５と、レイアウトコピー設定用の項目ボタン（以下「レイアウトコピーボタン」とも称す）４６と、両面コピー設定用の項目ボタン（以下「両面コピーボタン」とも称す）４７と、両面レイアウトコピー設定用の項目ボタン（以下「両面レイアウトコピーボタン」とも称す）４８と、トレイ選択設定用の項目ボタン４９とが用意されている。
【００４１】
即ち、コピー機能用のリスト画面３５は、詳細には、図２（ｂ）に例示するように、上記各項目ボタン４１〜４９が一列に配列された画面構成となっている。しかし、ＬＣＤ２１の表示領域の面積は小さいため、同時に表示できる項目ボタンの数は、図２（ａ）に例示するように、最大で４つである。各項目ボタンが表示されている領域を上下方向にフリック操作又はスワイプ操作するか、各スクロールボタン３５ａ，３５ｂの何れかを押下することで、各項目ボタン４１〜４９のうちＬＣＤ２１に実際に表示される項目ボタンを上下方向にスクロールさせることができ、これにより非表示状態の項目ボタンを表示させることができる。
【００４２】
なお、各設定項目のうち、両面コピーとは、複数ページ分の原稿の画像を記録用紙の片面にのみ印刷させるかそれとも両面に印刷させるかを設定することが可能な設定項目である。両面コピーの設定項目において設定可能な設定値としては、オフ、片面→両面、両面→両面、などがある。このうちオフは、原稿の読み取りは原稿の片面のみ対象として行い、読み取った画像の印刷も記録用紙の片面にのみ印刷させる設定である。片面→両面は、原稿の読み取りは原稿の片面のみ対象として行い、原稿が複数ある場合には各原稿から読み取った各画像を記録用紙の両面に順次印刷させる設定である。両面→両面は、原稿の両面を読み取り対象とし、読み取った各画像を記録用紙の両面に順次印刷させる設定である。
【００４３】
また、両面レイアウトコピーとは、複数ページ分の原稿の画像を１枚の記録用紙の両面それぞれに割り付けて印刷させることが可能な設定項目である。本実施形態では、両面レイアウトコピーの設定値として、長辺とじ→長辺とじ、長辺とじ→短辺とじ、短辺とじ→長辺とじ、などがある。
【００４４】
コピー機能のリスト画面３５において、各項目ボタン４１〜４９には、それぞれ、対応する設定項目を示すテキストと、その設定項目の現在の設定値を示す情報が表示される。図２（ｂ）は、例えば拡大／縮小が１００％に設定され、レイアウトコピーがオフに設定され、両面コピーがオフに設定され、両面レイアウトコピーが「長辺とじ→長辺とじ」に設定されている例を示している。
【００４５】
ＬＣＤ２１にリスト画面３５が表示されている場合に、表示されている項目ボタンの何れかを押下すると、その項目ボタンに対応した設定項目の設定値を選択するための設定値選択画面が表示される。設定値選択画面には、その設定項目において選択可能な複数種類の設定値が表示される。ユーザは、その設定値選択画面の中から設定したい設定値を選択することで、その選択した設定値に設定変更することができる。
【００４６】
コピー機能においては、異なる複数の設定項目の相互間で、排他関係が成立し得る。例えば、既述の通り、拡大／縮小の設定項目における１００％以外の設定値と、レイアウトコピー設定の設定項目におけるオフ以外の設定値とは排他関係にある。そのため、例えば拡大／縮小が１００％に設定されている場合にレイアウトコピーがオフ以外に設定されている状態は、これら両者間には特定規制関係が成立する。
【００４７】
また例えば、両面レイアウトコピーについては、「長辺とじ→長辺とじ」以外の他の設定値に設定したい場合は、レイアウトコピー及び両面コピーのいずれもオフ以外に設定しなければならない。そのため、例えば両面レイアウトコピーが「長辺とじ→長辺とじ」に設定されている場合に、レイアウトコピーがオフに設定されている状態及び両面コピーがオフに設定されている状態は、いずれも両面レイアウトコピーとの間で特定規制関係が成立していると言える。そのため、両面レイアウトコピーを「長辺とじ→長辺とじ」以外の他の設定値に変更するためには、レイアウトコピー及び両面コピーの設定値をいずれもオフ以外にする必要がある。
【００４８】
リスト画面において、各項目ボタンは、基本的には、第１の表示態様で表示される。具体的には、項目ボタン内のテキストや設定値情報が例えば黒色又は白色で表示される。
ただし、各設定項目のうち、他の設定項目と特定規制関係が成立している状態（以下「特定規制状態」と称す）にある設定項目、即ち変更不可項目については、その項目ボタンは、第１の表示態様とは異なる第２の表示態様で表示される。具体的には、項目ボタン内のテキストや設定値情報が例えば薄いグレー色で表示（以下「グレーアウト」と称す）される。
【００４９】
図２（ｂ）は、レイアウトコピー及び両面コピーの設定値が何れもオフであることにより、両面レイアウトコピーの設定値が「長辺とじ→長辺とじ」から他の設定値に変更できない状態となっている。即ち、両面レイアウトコピーが変更不可項目となり、これに対してレイアウトコピー及び両面コピーが排他項目となっており、両面レイアウトコピーは、レイアウトコピー及び両面コピーの双方と特定規制関係にある。そのため、両面レイアウトコピーボタン４８は、グレーアウトされる。
【００５０】
図２（ｂ）とは異なる設定状態の例を、図２（ｃ）に示す。図２（ｃ）は、拡大／縮小とレイアウトコピーとが特定規制状態になっている例を示している。即ち、拡大／縮小が１００％に設定され、レイアウトコピーがオフ以外の値（例えば２ｉｎ１）に設定されている。この例では、拡大／縮小が変更不可項目となり、これに対してレイアウトコピーが排他項目となっている。そのため、拡大／縮小ボタン４２がグレーアウトされている。
【００５１】
図２（ｂ）及び図２（ｃ）に例示するように、変更不可項目の項目ボタンをグレーアウトすることで、ユーザは、その設定項目の設定値を現在の値から変更できないことを認識できる。しかし、設定変更できないのは他のどの設定項目に起因しているのか、即ち当該変更不可項目に対する排他項目はどれなのかがわからないと、変更不可項目の設定値を変更できるようにすることができない。
【００５２】
そこで、本実施形態では、リスト画面中の各設定項目の中に変更不可項目が存在している場合は、その変更不可項目に対する排他項目が具体的に何であるかを視覚的に認識可能な排他情報画像を、リスト画面中に少なくとも規定時間継続して表示させるようにしている。
【００５３】
例えば図２（ｃ）の例のように、コピー機能において、レイアウトコピーがオフ以外の設定値に設定されていることによって拡大／縮小が現在の１００％から設定変更できない状態になっているとする。このような状態で、コピー画面３１内の設定変更ボタン３３が押下されて、リスト画面３５に遷移すると、リスト画面３５の表示開始時には、図３に示すように、リスト画面３５中に排他情報画像３８ａが表示される。
【００５４】
排他情報画像３８ａには、「排他設定」というテキストと、排他項目を示す「レイアウトコピー」というテキストが含まれる。ユーザは、このリスト画面３５において、拡大／縮小ボタン４２がグレーアウトされていることによって、拡大／縮小が変更不可項目となっていて１００％から変更できない状態にあることを視覚的に認識できる。さらに、ユーザは、排他情報画像３８ａが表示されることによって、拡大／縮小に対する排他項目がレイアウトコピーであることを視覚的に認識することができる。
【００５５】
排他情報画像３８ａは、リスト画面３５の表示開始から規定時間（例えば３秒）は一定の大きさで表示されるが、規定時間が経過すると、徐々に縮小していく。そして、最終的に、規定時間経過後の特定のタイミング（例えば規定時間経過時から３秒後）で、縮小画像へと変化する。
【００５６】
縮小画像の具体的内容や表示位置は、主に、排他項目の数や、ＬＣＤ２１に同時に表示される変更不可項目の数によって異なる。図３は、ＬＣＤ２１に表示されている変更不可項目は拡大／縮小のみであって、その拡大／縮小に対する排他項目がレイアウトコピーのみである例を示している。このような場合は、縮小画像として、図３に示すように、排他項目ボタン３８ｂが表示される。排他項目ボタン３８ｂは、リスト画面３５内における、他の画像が表示されない空き領域３７内に表示される。なお、１つの変更不可項目に対する排他項目の数が規定数（例えば３つ）以上の場合は、後述するように、排他項目ボタン３８ｂとは異なる種類の縮小画像が表示される。
【００５７】
排他情報画像３８ａから排他項目ボタン３８ｂへと画像が縮小していく間の、具体的な縮小過程や画像の内容については、適宜決めることができる。例えば、最初に表示された排他情報画像３８ａが連続的に縮小していって最後に排他項目ボタン３８ｂに変化するようにしてもよい。また例えば、排他情報画像３８ａから段階的にサイズの小さい画像に切り替わっていって最終的に排他項目ボタン３８ｂに切り替わるようにしてもよい。
【００５８】
排他項目ボタン３８ｂは、排他情報画像３８ａより小さい画像であるが、排他項目名を示す排他項目テキストが含まれている。図３に示す排他項目ボタン３８ｂには、排他項目テキストとして「レイアウトコピー」というテキストが含まれている。そのため、サイズの大きい排他情報画像３８ａからサイズの小さい排他項目ボタン３８ｂに切り替わった後も、ユーザは、拡大／縮小に対する排他項目が「レイアウトコピー」であることを視認することができる。
【００５９】
リスト画面３５が表示され、排他項目を示す画像が排他情報画像３８ａから排他項目ボタン３８ｂに切り替わった後、排他項目ボタン３８ｂが押下されると、図３に示すように、排他項目であるレイアウトコピーの設定値を選択するための設定値選択画面５０が表示される。
【００６０】
設定値選択画面５０には、レイアウトコピーにおいて選択可能な複数の設定値毎に、その設定値を示す設定値ボタン５１，５２，５３，５４，・・・が表示される。設定値選択画面５０においては、現在設定されている設定値（例えば２ｉｎ１（横長））の設定値ボタン５３が、他の各設定値ボタンとは異なる表示態様で表示される。ユーザは、設定値選択画面５０において、レイアウトコピーの設定値を任意に選択することができる。
【００６１】
設定値選択画面５０内の何れかの設定値ボタンが押下されると、レイアウトコピーの設定値はその押下された設定値ボタンの設定値に設定変更され、画面は再びリスト画面３５に遷移する。その際、設定変更後の設定値が反映されたリスト画面３５が表示される。
【００６２】
そのため、例えば、設定値選択画面５０においてオフ以外の設定値ボタンが押下された場合は、拡大／縮小との特定規制関係が依然として維持されているため、リスト画面３５に切り替わると再び排他情報画像３８ａが表示される。一方、設定値選択画面５０において「オフ」の設定値ボタン５１が押下されてレイアウトコピーの設定値がオフに変更された場合は、拡大／縮小とレイアウトコピーとの特定規制関係が解除され、拡大／縮小の設定値を１００％以外の値に変更可能となる。そのため、リスト画面３５に切り替わると、拡大／縮小ボタン４２はグレーアウト表示されず通常の第１の表示態様で表示され、且つ、排他情報画像３８ａは表示されない。
【００６３】
なお、上記例では、拡大／縮小とレイアウトコピーとの特定規制関係を解除可能なレイアウトコピーの設定値が、オフのみである。このように、排他項目における選択可能な複数の設定値のうち変更不可項目との特定規制関係を解除できる設定値が１つしかない場合は、排他項目ボタン３８ｂが押下された場合に、図３に破線矢印で示すように、設定値選択画面５０に遷移させず、設定値を自動的にその１つの値に変更して、その変更が反映されたリスト画面３５に遷移させるようにしてもよい。
【００６４】
次に、１つの変更不可項目に対する排他項目が複数且つ規定数未満ある場合の画面遷移例について、図４を用いて説明する。図４は、両面レイアウトコピーが「長辺とじ→長辺とじ」に設定されているのに対してレイアウトコピー及び両面コピーがいずれもオフに設定されている例を示している。このような設定状態において、コピー画面３１（図２（ａ）参照）からリスト画面３５に遷移させ、画面をスクロールさせて両面レイアウトコピーボタン４８を表示させると、図４に示すように、両面レイアウトコピーボタン４８がグレーアウトされ、且つ両面レイアウトコピーに対応した排他情報画像３９ａが表示される。
【００６５】
排他情報画像３９ａには、２つの排他項目を示す、「レイアウトコピー」及び「両面コピー」の各テキストがそれぞれ含まれている。この排他情報画像３９ａも、図３の例と同様、表示開始から規定時間経過までは初期の表示状態が維持されるが、規定時間が経過すると、徐々に縮小されていって、最終的に、排他項目ボタン３９ｂに変化する。この排他項目ボタン３９ｂも、リスト画面３５の空き領域３７内に表示される。
【００６６】
ユーザは、排他項目ボタン３９ｂを押下することで、各排他項目の設定値を変更することができるが、排他項目ボタン３９ｂに複数の排他項目のテキストが含まれている場合、何れか１つの排他項目を個別に選択することができる。
【００６７】
例えば、排他項目ボタン３９ｂ全体のうち「レイアウトコピー」のテキストを含む特定の領域を押下すると、図４に示すように、レイアウトコピーの設定値を選択するための設定値選択画面５０に遷移する。そして、何れかの設定値の設定値ボタンを押下すると、レイアウトコピーの設定値がその押下された設定値ボタンの設定値に変更されて、リスト画面３５に遷移する。
【００６８】
ここで、レイアウトコピーの設定値選択画面５０において、オフ以外の何れかの設定値が選択された場合は、レイアウトコピーについては、両面レイアウトコピーとの特定規制関係が解除される。そのため、再びリスト画面３５に遷移した場合、両面レイアウトコピーに対する排他項目は両面コピーのみとなっているため、両面レイアウトコピーボタン４８は依然としてグレーアウトされるものの、排他情報画像４０ａには、排他項目を示すテキストとしては「両面コピー」のみが表示される。
【００６９】
この排他情報画像４０ａも、規定時間経過すると徐々に縮小していって、最終的に、「両面コピー」のテキストを含む排他項目ボタン４０ｂに変化する。この排他項目ボタン４０ｂが押下されると、両面コピーの設定値を選択可能な設定値選択画面６０が表示される。この設定値選択画面６０において、オフ以外の何れかの設定値が選択されると、両面コピーについても、両面レイアウトコピーとの特定規制関係が解除される。
【００７０】
そのため、再びリスト画面３５に遷移すると、両面レイアウトコピーボタン４８はグレーアウト表示ではなく通常の第１の表示態様で表示され、両面レイアウトコピーの設定値が変更可能な状態となる。なお、２つの排他項目のテキストが含まれた排他項目ボタン３９ｂが表示されている状態で上記例とは逆に「両面コピー」のテキストを含む特定の領域が押下された場合は、両面コピーの設定値を選択するための設定値選択画面６０に遷移する。
【００７１】
次に、１つの変更不可項目に対する排他項目が規定数以上ある場合の画面遷移例について、図５を用いて説明する。図５は、両面レイアウトコピーが「長辺とじ→長辺とじ」に設定されている状態に対して、レイアウトコピー、両面コピー、ＡＡＡ、ｘｙｚｚｚの計４つの設定項目が特定規制状態となっている例を示している。このような設定状態において、コピー画面３１（図２（ａ）参照）からリスト画面３５に遷移させ、画面をスクロールさせて両面レイアウトコピーボタン４８を表示させると、図５に示すように、リスト画面３５に、両面レイアウトコピーに対応した排他情報画像４０ａが表示される。また、両面レイアウトコピーボタン４８はグレーアウトされる。
【００７２】
なお、図５では、規定数以上の排他項目が存在する場合にどのような排他情報画像が表示されてそれがどのような縮小画像に変化するのかを簡潔に説明するために、排他項目として架空の設定項目ＡＡＡ及びｘｙｚｚｚを設けている。
【００７３】
図５に示す排他情報画像４０ａには、４つの排他項目毎のテキストが含まれている。この排他情報画像４０ａも、図４の例と同様、表示開始から規定時間経過までは初期の表示状態が維持されるが、規定時間が経過すると、徐々に縮小されていって、最終的に、特定の縮小画像に変化する。
【００７４】
排他項目が規定数以上ある場合の縮小画像の具体的内容は種々考えられ、図５では３種類の縮小画像が例示されている。即ち、図５右側に縦に３つ並んでいるリスト画面３５のうち上段のリスト画面３５には、縮小画像として、排他表示ボタン４０ｃが表示されている。この排他表示ボタン４０ｃは、リスト画面３５における空き領域３７内に表示される。  排他表示ボタン４０ｃは、「排他設定」というテキストが含まれている。このテキストは、変更不可項目である両面レイアウトコピーに対して規定数以上の排他項目が存在していることを示している。
【００７５】
図５右側に３つ並んでいるリスト画面３５のうち中段のリスト画面３５には、縮小画像として、排他アイコン４０ｄが表示されている。この排他アイコン４０ｄは、変更不可項目の項目ボタン内に重畳表示される。排他アイコン４０ｄは、「排」というテキストが含まれている。このテキストは、変更不可項目である両面レイアウトコピーに対して規定数以上の排他項目が存在していることを示している。
【００７６】
図５右側に３つ並んでいるリスト画面３５のうち下段のリスト画面３５には、縮小画像として、背景透過ボタン４０ｅが表示されている。この背景透過ボタン４０ｅには、各排他項目のテキストが含まれている。背景透過ボタン４０ｅは、各項目ボタンの表示領域とは別の特定の領域に表示される。ただし、この背景透過ボタン４０ｅは、リスト画面３５において元々表示されている他の画像を覆い隠すように重畳表示されるのではなく、元の画像が透過して視認可能な状態になって表示される。
【００７７】
上記３種類の縮小画像のうち排他表示ボタン４０ｃ及び排他アイコン４０ｄは、その縮小画像のみからは排他項目が何であるかは認識できないような内容の画像である。
上記３種類の縮小画像のいずれも、その縮小画像が押下されると、その押下された縮小画像に対応した規定数以上の排他項目の中から何れか１つを選択させるための排他項目選択画面が表示される。排他項目が規定数以上ある場合の排他項目選択画面の図示は省略する。なお、図７には、排他項目が２つある場合の排他項目選択画面７０が示されている。排他項目が規定数以上ある場合の排他項目選択画面も、基本的には、その図７の排他項目選択画面７０と同じ画面構成であり、項目ボタンとして、規定数の排他項目の各々の項目ボタンが配列表示されることになる。
【００７８】
そして、排他項目選択画面の中から、何れかの排他項目が選択されると、その排他項目の設定値を変更可能な設定値選択画面が表示される。ユーザは、その設定値選択画面において何れかの設定値を選択することで、その排他項目の設定値を変更することができる。設定値選択画面において何れかの設定値が選択されると、ＬＣＤ２１の表示画面は、再びリスト画面３５に遷移する。
【００７９】
次に、リスト画面３５内に同時に複数の変更不可項目が存在している例について、図６を用いて説明する。図６は、同時に表示されている複数の設定項目のうちレイアウトコピーと両面レイアウトコピーが変更不可項目となっている例を示している。
【００８０】
図６の例では、レイアウトコピーに対しては、拡大／縮小が排他項目となっている。即ち、レイアウトコピーが「オフ」に設定されていて拡大／縮小が１００％以外の値に設定されているため、両者は特定規制関係にあり、レイアウトコピーの設定値を「オフ」から変更できない状態にある。両面レイアウトコピーに対しては、レイアウトコピー及び両面コピーのいずれもオフに設定されているため、これら両者はいずれも両面レイアウトコピーと特定規制関係にあり、両面レイアウトコピーを「長辺とじ→長辺とじ」から変更できない状態にある。
【００８１】
このように同時に複数の変更不可項目が存在している場合も、リスト画面３５に遷移してから規定時間は、変更不可項目毎に個別に、排他情報画像５６ａ，５７ａが表示される。レイアウトコピーに対する排他情報画像５６ａには、排他項目である「拡大／縮小」のテキストが含まれる。両面レイアウトコピーに対する排他情報画像５７ａには、排他項目である「レイアウトコピー」及び「両面コピー」の２つのテキストが含まれる。
【００８２】
リスト画面３５への遷移後、規定時間が経過すると、各排他情報画像５７ａ，５７ｂは徐々に縮小していき、最終的に特定の縮小画像に変化する。この場合の縮小画像の具体的内容及び表示位置は、図５の例と同じである。即ち、例えば、図６における右側上段のように排他表示ボタン５６ｂ、５７ｂを表示させてもよいし、図６における右側中段のように排他アイコン５６ｃ、５７ｃを表示させてもよいし、図６における右側下段のように背景透過ボタン５６ｄ、５７ｄを表示させてもよい。なお、各排他表示ボタン５６ｂ，５７ｂをどこに表示させるかについては適宜決めることができ、例えば図６に示すように、それぞれ対応する変更不可項目の項目ボタンの略右側に表示させるようにしてもよい。背景透過ボタン５６ｄ、５７ｄについても同様である。
【００８３】
このように、同一画面上に変更不可項目が複数存在している場合は、各変更不可項目の排他項目の数が規定数未満であっても、リスト画面３５への遷移後、各排他情報画像は、最終的には、排他項目ボタンとは異なる縮小画像に変化する。
【００８４】
各種縮小画像のうち、排他表示ボタンや排他アイコンのような、排他項目を直接視認できないような縮小画像が表示される場合の、排他項目の設定変更手順について、図７を用いて説明する。なお、図７に示す設定変更手順は、排他項目の数が規定数以上ある場合、即ち図５に示した例において縮小画像４０ｃ，４０ｄ，４０ｅが押下された場合も同様に適用される。
【００８５】
図７は、縮小画像として排他アイコンが採用されている例を示している。図７に示すように、ＬＣＤ２１の表示内容がリスト画面３５に遷移すると、まず、各変更不可項目毎に、その項目ボタンの右側に、対応する排他項目を示す排他情報画像５６ａ，５７ａが表示される。そして、規定時間経過すると、各排他情報画像５６ａ，５７ａは徐々に縮小していき、最終的に排他アイコン５６ｃ，５７ｃに変化する。
【００８６】
ここで、両面レイアウトコピーの特定規制状態を解除することを考える。両面レイアウトコピーの特定規制状態を解除するためには、まず、両面レイアウトコピーに対応した排他アイコン５７ｃを押下すればよい。この排他アイコン５７ｃが押下されると、両面レイアウトコピーに対する排他項目がリストアップされた排他項目選択画面７０が表示される。
【００８７】
排他項目選択画面７０には、排他項目である２つの設定項目毎の項目選択ボタン７１，７２が表示される。ユーザは、何れかの項目選択ボタンを押下することで、その押下した項目選択ボタンに対応した設定項目を設定変更できる。例えば、ユーザがレイアウトコピーの項目選択ボタン７１を押下すると、ＬＣＤ２１の表示内容は、レイアウトコピーの設定値を選択するための設定値選択画面５０に遷移する。
【００８８】
この設定値選択画面５０には、レイアウトコピーの設定値として選択可能な各設定値の設定値ボタン５１，５２，５３，５４が表示されるが、このうち両面レイアウトコピーとの特定規制関係を解除できない設定値の設定値ボタンは、他の設定値ボタンとは異なる表示態様で表示される。図７に示すレイアウトコピーの設定値選択画面５０においては、選択可能な複数の設定値のうち、「オフ」については、現設定値であって仮にこれをこのまま選択し続けたとしても、両面レイアウトコピーとの特定規制関係が解除されない。そのため、「オフ」の設定値ボタン５１については、他の各設定値ボタン５２，５３，５４とは異なる表示態様で表示される。なお、特定規制関係を解除できないような設定値の設定値ボタンは、そもそも表示されない（つまり選択できない）ようにしてもよい。
【００８９】
レイアウトコピーの設定値選択画面５０において、オフ以外の各設定値ボタン５２，５３，５４のうち何れかが押下されると、レイアウトコピーの設定値がその押下された設定値ボタンに対応した値に変更される。
【００９０】
なお、図７の例では、レイアウトコピーは、別途、拡大／縮小との間で特定規制関係が成立している。そのため、レイアウトコピーの設定値がオフ以外の値に変更されると、両面レイアウトコピーとレイアウトコピーとの特定規制関係は解除されるが、レイアウトコピーと拡大／縮小との間で排他関係が成立してしまう。
【００９１】
そのため、本実施形態では、ある変更不可項目に対応した排他項目の設定値を変更したことによって、その排他項目と別の設定項目とが排他状態になった場合は、その別の設定項目の設定値を、排他状態を解除可能な別の設定値に自動的に変更するように構成されている。
【００９２】
具体的に、図７の例では、レイアウトコピーの設定値がオフ以外の設定値（例えば２ｉｎ１（縦長）に変更されたことに伴い、拡大／縮小の設定値が１００％に自動変更される。なお、拡大／縮小の設定値が１００％に自動変更されることにより、結果的に、レイアウトコピーと拡大／縮小との特定規制関係は解除される。
【００９３】
上記のようにユーザの意図しないところで設定値が自動変更された場合は、ＬＣＤ２１には、自動変更通知画面７６が表示される。図７の例では、レイアウトコピーの設定値がオフ以外の値に変更されたことによって拡大／縮小の設定値が自動的に１００％に変更されたため、自動変更通知画面７６には、その旨を示すメッセージが表示される。そして、自動変更通知画面７６内の任意の位置が押下されると、ＬＣＤ２１には、再び排他項目選択画面７０が表示される。
【００９４】
このとき、レイアウトコピーについてはすでにオフ以外の値に設定変更されたため、両面レイアウトコピーに対する排他項目は、両面コピーのみとなっている。そのため、排他項目選択画面７０には、項目ボタンとして、両面コピーを示す項目選択ボタン７２のみ表示される。そして、その項目選択ボタン７２が押下されると、両面コピーの設定値選択画面６０に遷移する。なお、選択対象の設定項目が１つしかない場合は、排他項目選択画面７０を省略して、その１つの設定項目に対応した設定値選択画面６０に遷移するようにしてもよい。
【００９５】
両面コピーの設定値選択画面６０には、両面コピーの設定値として選択可能な各設定値の設定値ボタン６１，６２，６３，６４が表示されるが、このうち両面レイアウトコピーとの特定規制関係を解除できない設定値であるオフの設定値ボタン６１は、他の設定値ボタンとは異なる表示態様で表示される。なお、このオフの設定値ボタン６１は、そもそも表示されない（つまり選択できない）ようにしてもよい。
【００９６】
両面コピーの設定値選択画面６０において、オフ以外の各設定値ボタン６２，６３，６４のうち何れかが押下されると、両面コピーの設定値がその押下された設定値ボタンに対応した値に変更され、再びリスト画面３５に遷移する。このとき、両面レイアウトコピー及びレイアウトコピーのいずれも、他の設定項目との特定規制関係は解除されているため、変更不可項目としての位置付けが解消される。そのため、リスト画面３５において、レイアウトコピーボタン４６及び両面レイアウトコピーボタン４８はいずれも、第２の表示態様であるグレーアウトではなく、第１の表示態様にて表示されるようになる。
【００９７】
図７では、排他アイコンが押下された場合に、排他項目選択画面を表示させてその中から設定変更対象の排他項目を選択させる例を示したが、排他項目選択画面の表示を省略し、各排他項目の設定値をウィザード形式で順次変更させるようにしてもよい。
【００９８】
具体例として、例えば、図７に示すリスト画面３５において、排他情報画像５６ａ，５７ａが縮小されていって最終的に排他アイコン５６ｃ，５７ｃに変化した後、両面レイアウトコピーに対応した排他アイコン５７ｃが押下された場合は、両面レイアウトコピーに対応した複数の排他項目の設定値選択画面を順次表示させていく。その際、設定値選択画面が表示される毎に、対応する排他項目の設定値の変更を促し、両面レイアウトコピーとの特定規制関係を解除可能な設定値に変更された場合に、他の排他項目の設定値選択画面に遷移するようにしてもよい。
【００９９】
（３）リスト画面表示処理
図２〜図７を用いて説明した各種画面遷移例のうち、特にリスト画面への遷移時に実行される処理、即ちリスト画面を表示させるためのリスト画面表示処理について、図８を用いて説明する。
【０１００】
ＣＰＵ１１は、ＬＣＤ２１の表示画面をリスト画面に遷移させるべき特定の操作、処理等が行われた場合、図８のリスト画面表示処理を実行する。リスト画面に遷移させるべき特定の操作、処理等としては、例えば、図２（ａ）に示したように、コピー画面３１において設定変更ボタン３３が押下されること、がある。また例えば、図３、図４に示したように、設定値選択画面５０，６０において何れかの設定値ボタンが押下されることも、リスト画面に遷移させるべき特定の操作、処理等の１つである。また例えば、既にリスト画面が表示されている状態において、項目ボタンの表示内容を上下方向にスクロールさせる操作も、リスト画面に遷移させるべき特定の操作、処理の１つである。なお、図８〜図１２に示す各処理は、ＣＰＵ１１がＲＯＭ１２又はＮＶＲＡＭ１４からこれら各処理のプログラムを読み込んで実行することにより行われる。
【０１０１】
ＣＰＵ１１は、図８のリスト画面表示処理を開始すると、Ｓ１１０で、ＮＶＲＡＭ１４に記憶されている画面情報１４ａから、遷移先のリスト画面のリスト画面情報を取得する。このリスト画面情報には、これから表示させるべきリスト画面の画面構成に関する情報や、リスト画面内の特定の画像又は領域が押下された場合にどの画面に遷移させるかに関する情報などが含まれている。
【０１０２】
Ｓ１１５では、画面生成処理を実行する。画面生成処理の詳細は、図９に示す通りである。画面生成処理に進むと、Ｓ２１０で、Ｓ１１０で取得したリスト画面情報に基づいてリスト画面を生成する。具体的に、排他情報画像やその縮小画像を除き、画面内のどこにどのような画像を表示させるかといった、リスト画面の基本的な構成を決定する。
【０１０３】
Ｓ２１５では、項目変数ｎを０にセットする。Ｓ２２０では、項目変数ｎが設定項目総数Ｎ以上か否か判断する。設定項目総数Ｎとは、遷移先のリスト画面に表示させるべき設定項目の総数である。図２（ｂ）に例示したリスト画面３５の場合、設定項目総数Ｎは９である。
【０１０４】
項目変数ｎが設定項目総数Ｎ未満の場合は（Ｓ２２０：ＮＯ）、Ｓ２２５で、項目変数ｎを現在の値から１つ増加させる。Ｓ２３０では、遷移先のリスト画面に表示させるべきＮ個の設定項目のうちｎ番目の設定項目について、排他情報テーブル１４ｃを参照して、排他項目の有無を確認する。
【０１０５】
排他項目が無い場合、即ち現在の設定値を別の値に設定変更できる場合は（Ｓ２３５：ＮＯ）、Ｓ２４０で、当該ｎ番目の設定項目に対する排他有無情報を「排他無し」に設定して、Ｓ２２０に戻る。
【０１０６】
排他項目が有る場合、即ちその排他項目の存在によって現在の設定値を設定変更できない場合は（Ｓ２３５：ＹＥＳ）、Ｓ２４５で、当該ｎ番目の設定項目に対する排他有無情報を「排他有り」に設定する。Ｓ２５０では、当該ｎ番目の設定項目に対する排他項目を記憶する。排他項目が複数存在する場合はその複数の排他項目が記憶される。Ｓ２５５では、当該ｎ番目の設定項目を変更不可項目に設定する。即ち、リスト画面内において当該ｎ番目の設定項目の項目ボタンがグレーアウトされるように設定する。Ｓ２５５の処理後はＳ２２０に戻る。
【０１０７】
Ｓ２２０で、項目変数ｎが設定項目総数Ｎ以上の場合は（Ｓ２２０：ＹＥＳ）、Ｓ２６５に進む。なお、図９には、Ｓ２６５の前にＳ２６０として履歴確認処理が記載されているが、この履歴確認処理は、本第１実施形態では行われず、後述する第２実施形態で実行される。
【０１０８】
Ｓ２６５では、表示方法設定処理を実行する。表示方法設定処理の詳細は、図１０に示す通りである。表示方法設定処理に進むと、Ｓ３１０で、遷移先のリスト画面に表示させるべき設定項目の中に変更不可項目があるか否か判断する。変更不可項目がない場合は（Ｓ３１０：ＮＯ）、表示方法設定処理を終了し、変更不可項目ある場合は（Ｓ３１０：ＹＥＳ）、Ｓ３１５に進む。
【０１０９】
Ｓ３１５では、排他情報画像を生成する。即ち、変更不可項目毎に、Ｓ２５０で記憶した排他項目に基づき、その排他項目を示すテキストを含む排他情報画像を生成する。Ｓ３２０では、リスト画面中の空き領域３７内に排他項目を全て表示可能か否か判断する。
【０１１０】
例えば、変更不可項目が１つあってそれに対応した排他項目の数が規定数未満である場合は、全ての排他項目のテキストを含む排他項目ボタンを空き領域３７内に表示可能である。また例えば、変更不可項目が複数あるもののそれらに対応した排他項目の総数が規定数未満の場合も、各変更不可項目の各排他項目ボタンを全て空き領域３７内に表示可能である。
【０１１１】
これらの例のように、空き領域３７内に排他項目を全て表示可能な場合、即ち縮小画像として排他項目ボタンを採用可能な場合は（Ｓ３２０：ＹＥＳ）、Ｓ３２５に進む。Ｓ３２５では、排他項目テキストを含む排他項目ボタンを生成する。変更不可項目が複数ある場合は、変更不可項目毎に、対応する排他項目テキストを含む排他項目ボタンを生成する。Ｓ３３０では、リスト画面の表示方法情報を「排他項目ボタン有り」に設定する。
【０１１２】
一方、例えば、変更不可項目は１つであるもののそれに対応した排他項目の数が規定数以上である場合は、その全ての排他項目のテキストを含む排他項目ボタンを空き領域３７内に表示させることができない。また例えば、変更不可項目が複数ある場合に、個々の変更不可項目に対応した排他項目の数はいずれも規定数未満であるものの、各変更不可項目に対応した排他項目の総数が規定数以上である場合も、各変更不可項目の各排他項目ボタンを全て空き領域３７内に表示させることができない。
【０１１３】
これらの例のように、空き領域３７内に全ての排他項目を表示できない場合、即ち縮小画像として排他項目ボタンを採用できない場合は（Ｓ３２０：ＮＯ）、Ｓ３３５に進む。Ｓ３３５では、排他アイコンを生成する。変更不可項目が複数ある場合は、変更不可項目毎に排他アイコンを生成する。Ｓ３４０では、リスト画面の表示方法情報を「排他アイコン有り」に設定する。
【０１１４】
なお、Ｓ３３５では、排他アイコンに代えて、図５に例示したような、排他表示ボタン或いは背景透過ボタンを生成してもよい。つまり、縮小画像として排他項目ボタンを採用できない場合に、縮小画像として排他アイコン、排他表示ボタン、及び背景透過画像のどれを採用するかについては，適宜決めることができる。
【０１１５】
図１０の表示方法設定処理の終了後、即ち図９の画面生成処理の終了後は、Ｓ１２０（図８）に進む。Ｓ１２０では、Ｓ２４５又はＳ２４０で記憶した排他有無情報、及びＳ３３０又はＳ３４０で記憶した表示方法情報を取得する。そして、それら取得した排他有無情報及び表示方法情報に基づいて、リスト画面における、排他項目に関する情報の表示方法を判定する。
【０１１６】
排他項目に関する情報の表示方法は、主に３パターンある。１つ目は、リスト画面中の複数の設定項目の中に変更不可項目がない場合における、排他項目に関する情報が表示されないパターンである。Ｎ個の設定項目の排他有無情報が全て「排他無し」である場合が、この１つ目のパターンに該当する。
【０１１７】
２つ目は、排他項目に関する情報として、まず排他情報画像が表示され、その後排他項目ボタンに変化するパターンである。排他有無情報が「排他有り」の設定項目（即ち変更不可項目）が少なくとも１つあって、且つ表示方法情報が「排他項目ボタン有り」の場合が、この２つ目のパターンに該当する。
【０１１８】
３つ目は、排他項目に関する情報として、まず排他情報画像が表示され、その後、Ｓ３３５で生成された縮小画像（図１０では排他アイコン）に変化するパターンである。排他有無情報が「排他有り」の設定項目（即ち変更不可項目）が少なくとも１つあって、且つ表示方法情報が「排他アイコン有り」の場合が、この３つ目のパターンに該当する。
【０１１９】
Ｓ１２５の表示方法判定の結果、上記１つ目のパターンに該当する場合、即ちＮ個の設定項目の排他有無情報が全て「排他無し」である場合は、Ｓ１３０に進む。Ｓ１３０では、ＬＣＤ２１にリスト画面を表示させる。この場合、排他情報画像などの、排他項目に関する情報は表示されない。また、画面中の各項目ボタンはいずれも第１の表示態様で表示され、表示されている全ての設定項目が設定変更可能な状態となる。
【０１２０】
Ｓ１２５の表示方法判定の結果、上記２つ目のパターンに該当する場合、即ち排他有無情報が「排他有り」の設定項目が少なくとも１つあって且つ表示方法情報が「排他項目ボタン有り」の場合は、Ｓ１３５に進む。
【０１２１】
Ｓ１３５では、ＬＣＤ２１にリスト画面を表示させ、且つそのリスト画面中に、Ｓ３１５で生成した排他情報画像を表示させる。また、リスト画面中の各項目ボタンのうち、変更不可項目の項目ボタンは、グレーアウトさせる。
【０１２２】
Ｓ１３５によるリスト画面の表示開始後、Ｓ１４０で、規定時間が経過するのを待つ。そして、規定時間が経過したら（Ｓ１４０：ＹＥＳ）、Ｓ１４５で、縮小表示処理を行う。具体的に、排他項目を示す画像を、排他情報画像から、縮小画像としての排他項目ボタンへと切り替える。
【０１２３】
Ｓ１２５の表示方法判定の結果、上記３つ目のパターンに該当する場合、即ち排他有無情報が「排他有り」の設定項目が少なくとも１つあって且つ表示方法情報が「排他アイコン有り」の場合は、Ｓ１５０に進む。Ｓ１５０では、Ｓ１３５と同様、ＬＣＤ２１にリスト画面を表示させ、且つそのリスト画面中に、Ｓ３１５で生成した排他情報画像を表示させる。また、リスト画面中の各項目ボタンのうち、変更不可項目の項目ボタンは、グレーアウトさせる。
【０１２４】
Ｓ１５０によるリスト画面の表示開始後、Ｓ１５５で、規定時間が経過するのを待つ。そして、規定時間が経過したら（Ｓ１５５：ＹＥＳ）、Ｓ１６０で、縮小表示処理を行う。具体的に、排他項目を示す画像を、排他情報画像から、縮小画像としての排他アイコンへと切り替える。
【０１２５】
（４）第１の特定規制解除処理
図２〜図７を用いて説明した各種画面遷移例のうち、特に、リスト画面に縮小画像として排他項目ボタンが表示されている場合に実行される、第１の特定規制解除処理について、図１１を用いて説明する。図８のリスト画面表示処理においてＳ１４５の処理を実行したことによりリスト画面中に排他項目ボタンを表示させた場合、図１１の第１の特定規制解除処理を実行する。
【０１２６】
ＣＰＵ１１は、図１１の第１の特定規制解除処理を開始すると、Ｓ４１０で、排他項目ボタンが押下されたか否か判断する。排他項目ボタンが表示されている間、その排他項目ボタンが押下されるまでは、Ｓ４１０の判断処理を繰り返す。
【０１２７】
Ｓ４１０で、排他項目ボタンが押下された場合は（Ｓ４１０：ＹＥＳ）、Ｓ４１５で、押下された排他項目ボタンに対応した排他項目の数が複数であるか否か判断する。
排他項目の数が１つである場合は（Ｓ４１５：ＮＯ）、その１つの排他項目を処理対象として、Ｓ４２５に進む。排他項目の数が複数ある場合は（Ｓ４１５：ＹＥＳ）、Ｓ４２０に進む。既述の通り、排他項目の数が複数あって排他項目ボタン内にその複数の排他項目のテキストが表示される場合は、その排他項目ボタン内テキストを選択的に押下可能である。Ｓ４２０では、排他項目ボタン内のどの領域（どのテキストの領域）が押下されたかを識別することにより、押下された排他項目を特定する。そして、その特定した排他項目を、Ｓ４２５以下の処理の処理対象として、Ｓ４２５に進む。
【０１２８】
Ｓ４２５では、処理対象の排他項目について、対応する変更不可項目との特定規制関係を解除可能な設定値が１つであるか否か判断する。特定規制関係を解除可能な設定値が１つである場合は（Ｓ４２５：ＹＥＳ）、Ｓ４３０に進む。Ｓ４３０では、処理対象の排他項目の設定値を、現在の値から、対応する変更不可項目との特定規制関係を解除可能な上記１つの設定値に変更する。これにより、少なくとも、当該排他項目と対応する変更不可項目との特定規制関係は解除される。Ｓ４３０の処理後はＳ４５０に進む。
【０１２９】
Ｓ４２５で、処理対象の排他項目について、対応する変更不可項目との特定規制関係を解除可能な設定値が複数ある場合は（Ｓ４２５：ＮＯ）、Ｓ４３５に進む。Ｓ４３５では、ＬＣＤ２１に設定値選択画面を表示させる。Ｓ４４０では、設定値選択操作、即ち設定値選択画面に表示されている複数の設定値ボタンのうち何れかを選択する操作を受け付ける。Ｓ４４５では、処理対象の排他項目の設定値を、Ｓ４４０で選択された設定値に変更する。Ｓ４４０の処理後はＳ４５０に進む。
【０１３０】
Ｓ４５０では、処理対象の排他項目と対応する変更不可項目との特定規制関係が解除されたか否か判断する。特定規制関係がまだ解除されていない場合は（Ｓ４５０：ＮＯ）、Ｓ４６０に進む。特定規制関係が解除された場合は（Ｓ４５０：ＹＥＳ）、Ｓ４５５に進む。
【０１３１】
Ｓ４５５では、当該処理対象の排他項目と対応する変更不可項目との組み合わせに対して今回行われた特定規制関係解除のための操作を、その組み合わせに対する特定解除操作として、その特定解除操作の累積実行回数を更新する。当該組み合わせに対する今回の特定解除操作が初めて行われた場合は累積実行回数が１回に設定される。当該組み合わせに対して過去に同じ特定解除操作がすでにｎ回実行されている場合は、その累積実行回数をｎ＋１回に更新する。
【０１３２】
Ｓ４６０では、図８のリスト画面表示処理を起動させる。これにより、図８のリスト画面表示処理が再び実行され、その結果、Ｓ４３０又はＳ４４５による変更後の設定値が反映された新たなリスト画面が表示される。
【０１３３】
なお、Ｓ４５５の処理によって得られる特定解除操作の累積実行回数は、後述する第２実施形態において、後述する図１３の履歴確認処理で用いられる。
（５）第２の特定規制解除処理
図２〜図７を用いて説明した各種画面遷移例のうち、特に、リスト画面に縮小画像として排他アイコンが表示されている場合に実行される、第２の特定規制解除処理について、図１２を用いて説明する。図８のリスト画面表示処理においてＳ１６０の処理を実行したことによりリスト画面中に排他アイコンを表示させた場合、図１２の第２の特定規制解除処理を実行する。なお、縮小画像として排他アイコンではなく排他表示ボタン又は背景透過ボタンを表示させる場合も、同様にこの第２の特定規制解除処理が実行される。
【０１３４】
ＣＰＵ１１は、図１２の第２の特定規制解除処理を開始すると、Ｓ５１０で、排他アイコンが押下されたか否か判断する。排他アイコンが表示されている間、その排他アイコンが押下されるまでは、Ｓ５１０の判断処理を繰り返す。
【０１３５】
Ｓ５１０で、排他アイコンが押下された場合は（Ｓ５１０：ＹＥＳ）、Ｓ５１５で、ＬＣＤ２１に排他項目選択画面を表示させる。Ｓ５２０では、排他項目選択操作、即ち排他項目選択画面に表示されている複数の項目ボタンのうち何れかを選択する操作を受け付ける。
【０１３６】
Ｓ５２５では、Ｓ５２０で選択された設定項目の設定値を選択させるための設定値選択画面をＬＣＤ２１に表示させる。Ｓ５３０では、設定値選択画面に対する設定値選択操作を受け付ける。Ｓ５３５では、処理対象の排他項目の設定値を、Ｓ５３０で選択された設定値に変更する。
【０１３７】
Ｓ５４０では、Ｓ５１０で押下された排他アイコンに対応した各排他項目と変更不可項目との特定規制関係が全て解除されたか否か判断する。対応する変更不可項目との特定規制関係がまだ解除されていない排他項目がある場合は（Ｓ５４０：ＮＯ）、Ｓ５１５に戻る。この場合、Ｓ５１５では、特定規制関係が解除されていない排他項目を対象とした排他項目選択画面を表示させる。
【０１３８】
対応する変更不可項目との特定規制関係が全て解除された場合は（Ｓ５４０：ＹＥＳ）、Ｓ５４５に進む。Ｓ５４５では、Ｓ５１０で押下された排他アイコンに対応した各排他項目と変更不可項目との組み合わせに対して今回行われた特定規制関係解除のための操作を、その組み合わせに対する特定解除操作として、その特定解除操作の累積実行回数を更新する。なお、この累積実行回数は、後述する第２実施形態において、後述する図１３の履歴確認処理で用いられる。
【０１３９】
Ｓ５５０では、図８のリスト画面表示処理を起動させる。これにより、図８のリスト画面表示処理が再び実行され、その結果、Ｓ５１５〜Ｓ５４０による変更後の設定値が反映された新たなリスト画面が表示される。
【０１４０】
（６）第１実施形態の効果
以上説明したように、第１実施形態の複合機１によれば、リスト画面中に変更不可項目が存在している場合、各項目ボタンに加えて、排他情報画像が表示される。そのため、ユーザは、リスト画面が表示されたときに変更不可項目が存在していてその項目ボタンがグレーアウトされている場合に、グレーアウトされている理由、即ちその設定項目の設定値を変更できない理由を、迅速且つ容易にユーザに認識することができる。
【０１４１】
そのため、ユーザは、排他情報画像に基づいて、変更不可項目の設定値を変更できるようにするための適切な操作（例えば、排他情報画像において示されている排他項目の設定値を別の設定値に変更する操作）を迅速且つ効率良く行うことができる。
【０１４２】
また、排他情報画像は、少なくとも規定時間は継続して表示される。そして、規定時間経過後の特定のタイミングで、排他情報画像から、排他情報画像よりも小さい縮小画像に切り替わる。このような構成により、リスト画面へ遷移した場合、まずは排他情報画像が表示されることによってユーザは排他項目が何であるかを認識することができると共に、縮小画像へ切り替わることによって、リスト画面として本来ユーザに提供すべき情報が排他情報画像によって隠された状態が続くことを抑制できる。
【０１４３】
特に、本実施形態では、少なくとも、変更不可項目が１つの場合は、縮小画像は、他の画像が表示されない空き領域３７内に表示される。また、変更不可項目が複数ある場合も、その複数の変更不可項目に対応した各縮小画像のうち少なくとも１つは、空き領域３７内に表示される。そのため、リスト画面内の画像が縮小画像によって隠されてしまうことを完全に無くすことができるか、又はその隠されてしまう面積を抑えることができる。
【０１４４】
また、リスト画面中の縮小画像が押下されると、その押下された縮小画像に対応した排他項目の設定値を変更することができる。
具体的に、変更不可項目の設定値を変更できるようにすることが可能な設定値が１つしかない場合は、縮小画像が押下されると、対応する排他項目の設定値がその１つの設定値に自動変更される（図１１のＳ４３０参照）。これにより、ユーザは変更不可項目の設定値を変更できるようになる。
【０１４５】
変更不可項目の設定値を変更できるようにすることが可能な設定値が複数ある場合は、対応する排他項目の設定値を選択させるための設定値選択画面が表示され、ユーザはその中から設定値を選択することができる（図１１のＳ４３５〜Ｓ４４５参照）。そのため、ユーザは、変更不可項目の設定値が変更できない状態を、容易、適切、且つ迅速に解除することができる。
【０１４６】
１つの縮小画像に複数の排他項目テキストが含まれている場合は（図４参照）、ユーザは、その複数の排他項目テキストの中から特定の１つを指定することができ（図１１のＳ４２０参照）、その指定した排他項目テキストが示す排他項目の設定変更を行うことができる。一方、１つの縮小画像に排他項目テキストが直接は含まれていないものの、その縮小画像に複数の排他項目が対応付けられている場合は（図７参照）、その縮小画像が押下されると、まず排他項目選択画面が表示される（図１２のＳ５１５参照）。ユーザは、その排他項目選択画面の中から、設定変更したい排他項目を選択することができる。そして、何れかの排他項目が選択されると、その排他項目の設定値選択画面が表示され、設定値を変更することができる（図１２のＳ５２５〜Ｓ５３５参照）。
【０１４７】
ここで、本実施形態の構成要素と特許請求の範囲に記載の発明（以下「本発明」と称す）の構成要素との対応関係を明らかにする。複合機１は本発明の表示制御装置の一例に相当する。ＮＶＲＡＭ１４は本発明の記憶部及び記憶媒体の一例に相当する。ＬＣＤ２１は本発明の表示部の一例に相当する。タッチパネル２２は本発明の入力部の一例に相当する。ＣＰＵ１１は本発明の制御部及びコンピュータの一例に相当する。各項目ボタン４１〜４９は本発明の項目画像の一例に相当する。画面情報１４ａは本発明の項目情報の一例に相当する。設定値選択画面５０，６０は本発明の設定値選択画面の一例に相当する。
【０１４８】
また、図８のＳ１１０の処理は本発明の項目情報取得処理の一例に相当する。図９のＳ２３０の処理は本発明の判断処理の一例に相当する。図８のＳ１３５及びＳ１５０の処理は本発明のリスト画面表示処理の一例に相当する。図１１のＳ４３５の処理及び図１２のＳ５２５の処理は本発明の設定値選択表示処理の一例に相当する。図１１のＳ４４５の処理及び図１２のＳ５３５の処理は本発明の第１の設定処理の一例に相当する。
【０１４９】
［第２実施形態］
リスト画面内の各設定項目の中に変更不可項目がある場合に、その変更不可項目と対応する排他項目との特定規制関係を解除するための別の方法を、第２実施形態として説明する。
【０１５０】
第１実施形態において、図１１のＳ４５５及び図１２のＳ５４５に示したように、変更不可項目とそれに対応した排他項目との組み合わせに対し、その組み合わせにおける特定規制関係が全て解除された場合は、その解除のために行われた設定変更操作である特定解除操作及びその実行回数が履歴として記憶される。そして、以後、同じ組み合わせに対して同じ特定解除操作が行われる度に、その特定解除操作の累積実行回数が更新されていく。
【０１５１】
そして、本第２実施形態では、ある変更不可項目と排他項目との組み合わせに対し、累積実行回数が規定回数以上の特定解除操作が生じた場合は、以後、再び同じ変更不可項目と排他項目との組み合わせが発生した場合は、その特定解除操作と同じ内容の設定変更を自動で実行する。
【０１５２】
例えば図３の例では、拡大／縮小とレイアウトコピーとの特定規制関係を解除するために、ユーザによりレイアウトコピーの設定値がオフに設定変更された。この場合、変更不可項目としての拡大／縮小と排他項目としてのレイアウトコピーとの組み合わせに対し、レイアウトコピーの設定値をオフに設定変更する操作が、特定解除操作として記憶される。その後、再び同じ組み合わせに対して同じ特定解除操作が行われる毎に、その特定解除操作の実行回数を累積加算していく。そして、累積実行回数が規定回数以上となった場合は、以後、再び同じ組み合わせが発生した場合は、ユーザによる設定変更操作を介することなく、自動的に特定解除操作を実行する。即ち、レイアウトコピーの設定値を自動的にオフに変更する。
【０１５３】
また例えば、図４の例において、変更不可項目としての両面レイアウトコピーと排他項目としてのレイアウトコピー及び両面コピーとの組み合わせに対し、レイアウトコピーの設定値が例えば２ｉｎ１（縦長）に変更され、両面コピーの設定値が例えば両面→両面に変更されたことによって、上記組み合わせにおける特定規制関係が解除され、両面レイアウトコピーの設定変更が可能になったとする。この場合、レイアウトコピーの設定値を２ｉｎ１（縦長）に変更し且つ両面コピーの設定値を両面→両面に変更する操作が、当該組み合わせに対する特定解除操作として記憶される。そして、その後、同じ変更不可項目と排他項目との組み合わせに対して再び同じ特定解除操作が行われる毎に、その特定解除操作の実行回数が累積加算されていく。そして、同じ特定解除操作の実行回数が規定回数以上となった場合は、以後、再び同じ変更不可項目と排他項目との組み合わせが発生した場合、特定解除操作を自動で実行する。
【０１５４】
上述した機能を実現するためにＣＰＵ１１が実行する履歴確認処理について、図１３を用いて説明する。図１３の履歴確認処理は、詳しくは、第１実施形態で説明した図９の画面生成処理において、Ｓ２２０でｎ≧Ｎと判定された場合に実行されるＳ２６０の処理である。
【０１５５】
ＣＰＵ１１は、図９の画面生成処理において、Ｓ２６０に進むと、履歴確認処理として、図１３に示す処理を実行する。ＣＰＵ１１は、図１３の処理を開始すると、Ｓ７１０で、リスト画面の表示対象の各設定項目の中に変更不可項目があるか否か判断する。変更不可項目がない場合は（Ｓ７１０：ＮＯ）、この履歴確認処理を終了する。変更不可項目がある場合は（Ｓ７１０：ＹＥＳ）、Ｓ７２０に進む。
【０１５６】
Ｓ７２０では、変更不可項目毎に、変更不可項目とこれに対応する排他項目との組み合わせに対して過去に行われた特定解除操作の履歴を確認する。即ち、当該組み合わせに対して過去に特定解除操作が行われたことがあるか否か判断する。
【０１５７】
Ｓ７３０では、過去に特定解除操作が行われたことがある組み合わせのうち、同じ特定解除操作の累積実行回数が規定回数以上の組み合わせ（以下「高頻度解除組み合わせ」と称す）があるか否かサーチする。
【０１５８】
Ｓ７４０では、Ｓ７３０のサーチの結果に基づき、高頻度解除組み合わせが有るか否か判断する。高頻度解除組み合わせがない場合は（Ｓ７４０：ＮＯ）、履歴確認処理を終了する。高頻度解除組み合わせがある場合は（Ｓ７４０：ＹＥＳ）、Ｓ７５０で、ＬＣＤ２１に自動解除問合せ画面を表示させる。
【０１５９】
自動解除問合せ画面には、高頻度解除組み合わせを構成する変更不可項目が表示される。また、自動解除問合せ画面には、表示されている変更不可項目について、他の排他項目との特定規制関係を自動的に解除するか否か、即ち過去に規定回数以上行われた特定解除操作と同じ内容の設定変更を自動的に行っても良いか否かをユーザに問うメッセージが表示される。
【０１６０】
Ｓ７６０では、自動解除要求が行われたか否か判断する。自動解除要求とは、具体的には、自動解除問合せ画面に対する、特定規制関係の解除を自動的に実行させるための特定の入力操作を示す。なお、ユーザは、自動解除要求とは別に、特定規制関係の自動的な解除を実行させないようにするための特定の入力操作である、非自動解除要求も可能である。
【０１６１】
非自動解除要求が行われた場合は（Ｓ７６０：ＮＯ）、履歴確認処理を終了する。自動解除要求が行われた場合は（Ｓ７６０：ＹＥＳ）、Ｓ７７０に進む。Ｓ７７０では、高頻度解除組み合わせに対し、累積実行回数が規定回数以上の特定解除操作と同じ内容の設定変更を自動で実行する。これにより、高頻度解除組み合わせにおける特定規制関係が解除される。
【０１６２】
Ｓ７８０では、高頻度解除組み合わせを構成する変更不可項目を、変更不可項目としての位置づけから除外する。即ち、図９のＳ２５５により行われた変更不可項目への設定を解除し、設定値を変更可能な通常の設定項目として設定する。併せて、当該設定項目について、排他有無情報を「排他無し」に設定し、且つグレーアウト表示設定を解除する。
【０１６３】
以上説明した第２実施形態によれば、ある変更不可項目と排他項目の組み合わせに対して過去に同じ設定変更が規定回数以上行われている場合は、以後も同じ組み合わせに対しては過去と同じ設定変更が自動的に行われる。そのため、ユーザによる特定規制関係解除のための設定変更の手間を省くことができる。
【０１６４】
なお、本実施形態において、図１１のＳ４５５の処理及び図１２のＳ５４５の処理は、本発明の回数累積処理の一例に相当する。また、図１３のＳ７７０の処理は本発明の第２の設定処理の一例に相当する。
【０１６５】
［他の実施形態］
以上、本発明の実施形態について説明したが、本発明は上記実施形態に限定されることなく、種々の形態を採り得る。
【０１６６】
（１）排他情報画像の具体的内容、及び縮小画像の具体的内容は、上記実施形態で示した内容に限定されず、他の各種の画像を採用することができる。
（２）リスト画像中の複数の項目ボタンの表示態様は、上記実施形態で示した表示態様に限定されない。即ち、排他項目が存在しない設定項目を示す項目ボタンの表示態様である第１の表示態様は、上記実施形態で示したような、項目ボタン内のテキストや設定値情報を黒色又は白色で表示させる表示態様以外の他の表示態様であってもよい。また、変更不可項目を示す項目ボタンの表示態様である第２の表示態様についても、上記実施形態で示したグレーアウト以外の他の表示態様であってもよい。項目ボタンの大きさや形状自体も適宜決めることができる。
【０１６７】
（３）グレーアウトされた項目ボタンに対する押下操作を受け付け可能として、押下された場合には、対応する排他項目の設定変更に進めるようにしてもよい。例えば、グレーアウトされた項目ボタン、即ち変更不可項目の項目ボタンが押下された場合、その変更不可項目に対応した縮小画像が押下された場合と同等の処理が実行されるようにしてもよい。
【０１６８】
（４）上記実施形態では、リスト画面として、コピー機能に対応したリスト画面、詳しくはコピー画面３１（図２参照）内の設定変更ボタン３３が押下された場合に遷移するリスト画面３５を例に挙げて説明したが、本発明を適用可能なリスト画面は上記実施形態のリスト画面３５に限定されない。設定項目毎の項目画像が配列されて表示されるあらゆる種類のリスト画面に対して本発明を適用できる。
【０１６９】
（５）本発明の適用は、複合機１に限定されない。複数の設定項目の設定値に従って特定の機能を実行するよう構成されたあらゆる機器、装置等に対して本発明を適用できる。
（６）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１７０】
１…複合機、２…待機画面、３…ファクスキー、４…コピーキー、５…スキャンキー、１１…ＣＰＵ、１２…ＲＯＭ、１３…ＲＡＭ、１４…ＮＶＲＡＭ、１４ａ…画面情報、１４ｂ…設定値情報、１４ｃ…排他情報テーブル、１５…画像読取部、１６…画像形成部、１７…操作パネル部、１８…メモリカードＩ／Ｆ、１９…ネットワーク通信部、２０…電話通信部、２１…液晶ディスプレイ（ＬＣＤ）、２２…タッチパネル、２３…内照式表示部、３１…コピー画面、３２…設定情報、３３…設定変更ボタン、３４…スタートボタン、３５…リスト画面、３５ａ，３５ｂ…スクロールボタン、３６…ＯＫボタン、３７…空き領域、３８ａ，３９ａ，４０ａ，５６ａ，５７ａ…排他情報画像、３８ｂ，３９ｂ，４０ｂ…排他項目ボタン、４０ｃ…排他表示ボタン、４０ｄ…排他アイコン、４０ｅ…背景透過ボタン、４１〜４９…項目ボタン、５０，６０…設定値選択画面、５１〜５４，６１〜６４…設定値ボタン、５６ｂ，５７ｂ…排他表示ボタン、５６ｃ，５７ｃ…排他アイコン、５６ｄ，５７ｄ…背景透過ボタン、７０…排他項目選択画面、７１，７２…項目選択ボタン、７６…自動変更通知画面。
【図１】
0006601016.tif 000002
【図２】
0006601016.tif 000003
【図３】
0006601016.tif 000004
【図４】
0006601016.tif 000005
【図５】
0006601016.tif 000006
【図６】
0006601016.tif 000007
【図７】
0006601016.tif 000008
【図８】
0006601016.tif 000009
【図９】
0006601016.tif 000010
【図１０】
0006601016.tif 000011
【図１１】
0006601016.tif 000012
【図１２】
0006601016.tif 000013
【図１３】
0006601016.tif 000014